(57)【要約】  【課題】ディスク挿入孔にシャッター機構を備えるディスク読取装置において、ディスクの２重挿入を防止する。  【解決手段】ディスク挿入孔にシャッターを備えるディスク読取装置のエスカッションであって、回動部材を介して取り付けられたカバーと、シャッターの開閉を行うためのシャッターノブとを備える。そして、カバーは、ディスク挿入孔にディスクを挿入可能な第１の位置と、ディスク挿入孔にディスクを挿入不可能な第２の位置との間で変位可能である。シャッターノブは、カバーが第１の位置にあるとき外部に露出し、カバーが第２の位置にあるときカバーに覆われる位置に配されている。【選択図】図１
2008130211.tif 000002
【特許請求の範囲】
【請求項１】
ディスク挿入孔にシャッターを備えるディスク読取装置のエスカッションであって、
回動部材を介して取り付けられたカバーと、
前記シャッターの開閉を行うためのシャッターノブとを備え、
前記カバーは、
前記ディスク挿入孔にディスクを挿入可能な第１の位置と、前記ディスク挿入孔にディスクを挿入不可能な第２の位置との間で変位可能であり、
前記シャッターノブは、
前記カバーが前記第１の位置にあるとき外部に露出し、前記カバーが前記第２の位置にあるとき当該カバーに覆われる位置に配されている
ことを特徴とするディスク読取装置のエスカッション。
【請求項２】
請求項１に記載のエスカッションであって、
前記カバーは、
前記第２の位置となるように付勢されている
ことを特徴とするディスク読取装置のエスカッション。
【請求項３】
請求項１に記載のエスカッションであって、
前記シャッターノブは、前記カバーの長手方向の幅のほぼ中央に配されており、
前記カバーは、
操作者の指を引っ掛けるためのツメを備え、
当該ツメは、
前記カバーの長手方向のいずれかの端部付近に配されている
ことを特徴とするディスク読取装置のエスカッション。
【請求項４】
前記シャッターノブは、
スライド可能な構造を備え、
前記シャッターは、前記シャッターノブのスライド方向に応じて開閉する
ことを特徴とするディスク読取装置のエスカッション。
【発明の詳細な説明】
【技術分野】
【０００１】
本発明は、ＣＤやＤＶＤなどのディスクの読取装置のエスカッションに関する。
【背景技術】
【０００２】
ＤＶＤ再生装置などは、通常、ディスクを一枚ずつ読み取り可能に構成されている。したがって、既にディスクが挿入されているにも関らず、さらにもう一枚のディスクが挿入されると、ディスクの傷つきや内部装置の破損の原因となる（特許文献１等参照）。
【０００３】
この点、ディスク再生中の誤挿入を防止すべく、ディスク挿入孔にシャッター機構を備えたディスク読取装置がある。かかるシャッターは、連結されたシャッターノブのスライド方向に応じて開閉する。また、ディスク読取装置は、かかるシャッターノブの位置がシャッターを開状態とする位置にスライドされたことを検出し、ディスクの排出処理を行う。
【０００４】
【特許文献１】特開２００５−２５９２３４号公報
【発明の開示】
【発明が解決しようとする課題】
【０００５】
しかし、シャッターが開いてからディスクが排出されるまでの短い時間に、新たなディスクが挿入されてしまう可能性もある。
【０００６】
本発明は、上記課題を解決すべくなされたものであり、ディスク挿入孔にシャッター機構を備えるディスク読取装置において、ディスクの２重挿入を防止することを目的とする。
【課題を解決するための手段】
【０００７】
上記課題を解決すべく、本発明では、ディスク挿入孔のシャッターを開状態とするための操作に、操作者の両手が必要となるようにする。そして、新たなディスクを挿入しようとする操作者に時間をかけさせ、その間にディスクを排出し、２重挿入を防止する。
【０００８】
例えば、本発明は、ディスク挿入孔にシャッターを備えるディスク読取装置のエスカッションであって、回動部材を介して取り付けられたカバーと、前記シャッターの開閉を行うためのシャッターノブとを備える。そして、前記カバーは、前記ディスク挿入孔にディスクを挿入可能な第１の位置と、前記ディスク挿入孔にディスクを挿入不可能な第２の位置との間で変位可能である。前記シャッターノブは、前記カバーが前記第１の位置にあるとき外部に露出し、前記カバーが前記第２の位置にあるとき当該カバーに覆われる位置に配されている。
【発明を実施するための最良の形態】
【０００９】
以下に、本発明の一実施形態について、図面を参照して説明する。
【００１０】
図１は、本発明の一実施形態が適用された車載用のディスク再生装置１０の正面からの外観図である。図２は、ディスク再生装置１０を横から見た断面図である。
【００１１】
ディスク再生装置１０は、例えば、ＣＤ(compact disc)再生装置、ＤＶＤ(digital versatile disc)再生装置である。なお、ディスク再生装置１０は、ＣＤ、ＤＶＤ用に限定されず、２重挿入の可能性がある記録媒体、例えば、光や磁気でデータを記録可能な円盤型記録媒体の再生装置であってもよい。また、音楽やビデオの再生機能を備えていてもよいし、データを読み取って他の装置に送信する機能を備えていてもよい。
【００１２】
ディスク再生装置１０は、筐体１００とエスカッション２００とを備える。
【００１３】
筐体１００の内部には、ディスクに記録されたデータを読み取り再生する処理を行う回路基板が格納されている。筐体１００には、外部機器との接続のためのコネクタ、放熱のための空気孔、車両に取り付けのための治具等が設けられている。筐体１００は、その強度を保ち、内部回路を保護するため、鋼板などの金属で構成されている。
【００１４】
エスカッション２００は、車両に取り付けられた場合に操作者に対して露出する部分である。そのため、所定の装飾がなされており、概ねプラスチックで構成される。
【００１５】
エスカッション２００は、筐体１００と結合し、ディスク再生装置１０の前面を全体的に覆うエスカッション基盤２０１と、ディスクの受け入れ口であるディスク挿入孔２１０と、ディスク挿入孔２１０の開閉を制御するシャッター２２０と、シャッター２２０の開閉を制御するシャッターノブ２３０と、ディスク挿入孔２１０とシャッターノブ２３０とを同時に覆うことが可能な挿入孔カバー２４０と、を備えている。
【００１６】
ディスク挿入孔２１０は、挿入されるディスクの大きさに応じた、横長スリット状の孔である。ディスク挿入孔２１０は、シャッター２２０の動作により、開状態又は閉状態となる。
【００１７】
シャッター２２０は、ディスク挿入孔２２０を塞ぐことが可能な、上下に配された１対の横長のシャッター部材２２１からなる。上下のシャッター部材２２１は、それぞれ上下に移動可能である。上下のシャッター部材２２１の隙間が、ディスク挿入孔２１０となる。上下のシャッター部材２２１が相互に離れる方向に移動すると、両者の隙間が拡大し、ディスク挿入孔２１０は、開状態となる。一方、上下のシャッター部材２２１が近づく方向に移動すると、両者の隙間が狭まり、ディスク挿入孔２１０は、閉状態となる
シャッターノブ２３０は、左右にスライド可能であり、操作者がシャッター２２０の開閉を行う際に使用される。シャッターノブ２３０は、ディスク挿入孔２１０の長手方向の幅のほぼ中央で、ディスク挿入孔２１０の下（すなわち、挿入孔カバー２４０の長手方向の中央かつ下方）に配されている。シャッターノブ２３０は、公知の機構により、シャッター２２０に連結している。そして、シャッターノブ２３０が右側にスライドされるとシャッター２２０が開き、シャッターノブ２３０が左側にスライドされるとシャッター２２０が閉まるメカニズムになっている。
【００１８】
挿入孔カバー２４０は、ディスク挿入孔２１０を覆う部分２４２と、シャッターノブ２３０を覆う部分２４３からなる。また、挿入孔カバー２４０は、図２に示すように、その上端部２４１がヒンジ２０２を介してエスカッション基盤２０１に取り付けられている。そのため、挿入孔カバー２４０は、ヒンジ２０２を支点として回動可能である。この回動動作により、挿入孔カバー２３０は、開状態または閉状態との間で変位する。挿入孔カバー２４０の開状態では、ディスク挿入孔２１０及びシャッターノブ２３０は、挿入孔カバー２４０で覆われることなく操作者に対して露出する。開状態では、操作者は、ディスクの挿入及びシャッターノブ２３０の操作が可能である。一方、挿入孔カバー２４０の閉状態では、ディスク挿入孔２１０及びシャッターノブ２３０は、挿入孔カバー２４０で覆われる。閉状態では、操作者は、ディスクの挿入及びシャッターノブ２３０の操作が不可能である。
【００１９】
ヒンジ２０２には、挿入孔カバー２４０を、通常、閉状態に付勢するためのスプリングが配されている。このため、挿入孔カバー２４０は、操作者によりめくり上げられる等の力が加えられない限り、閉状態で保持される。
【００２０】
また、挿入孔カバー２４０は、操作者がめくり上げ易いように指を引っ掛けるためのツメ２５０を備えている。ツメ２５０は、挿入孔カバー２４０とエスカッション基盤２０１との間に隙間ができるように、盛り上がった形状となっている。ツメ２５０は、挿入孔カバー２４０のディスク挿入孔２１０を覆う部分２４２の左右いずれかの端部付近に設けている。これは、挿入孔カバー２４０をめくり上げる操作と、シャッターノブ２３０を操作とを、それぞれ別の手（すなわち両手）で行わせるためである。したがって、ツメ２５０は、通常の人が片手で操作した場合にツメ２５０を押さえるとシャッターノブ２３０に届かなくなる位置に配されるのが好ましい。
【００２１】
また、挿入孔カバー２４０の下端部２４４は、シャッターノブ２３０を覆う部分２４２に対して滑らかに（又は鈍角に）曲がっている。この理由を、図２及び図３を用いて説明する。
【００２２】
筐体１００の、エスカッション２００のディスク挿入孔２１０に対応する位置には、ディスク搬送部１１０が配されている。ディスク搬送部１１０は、操作者により挿入されたディスクが所定位置まで来たことを検知すると、搬送機構を駆動させて、挿入されたディスク８０をデータ読取部（不図示）まで搬送する。また、ディスク搬送部１１０は、シャッターノブ２３０のスライド位置を検知する。具体的には、シャッターノブ２３０の右へのスライドを検知した場合、ディスク８０の排出指示と判断して、搬送機構を駆動して、データ読取部に置かれているディスク８０をディスク挿入孔２１０へ向けて搬送し、排出する。なお、かかるディスク搬送部１１０及びデータ読取部は、公知の構成で実現できる。
【００２３】
通常、ディスク８０が排出されるまでの間、挿入孔カバー２４０は、操作者の指により、めくり上げられている。しかし、ディスク８０が排出される前に操作者が指を離して、挿入孔カバー２４０が閉状態となってしまう場合がある（図２（Ａ）参照）。かかる場合でも、ディスク搬送部１１０は、ディスク８０の搬送を継続する。そして、挿入孔カバー２４０は、排出されるディスク８０により、押し開けられることになる（図２（Ｂ）参照）。
【００２４】
かかる場合に、図３に示すように、挿入孔カバー２４０の下端部２４４に角（例えば、直角）があると、排出されるディスク８０は、下端部２４４の角に引っかかってしまう。これでは、ディスク８０の排出が完了できず、ディスク８０の傷付きや、ディスク搬送部１１０の故障の原因となる場合がある。
【００２５】
これに対して、図２に示すように、挿入孔カバー２４０の下端部２４４を滑らかに曲げることで、挿入孔カバー２４０が閉状態であった場合でも、ディスク８０は、下端部２４４に引っかかることなく、挿入孔カバー２４０を押し開けることができる。そして、ディスク８０の排出を完了することができる（図２（Ｂ）〜（Ｃ）参照）。
【００２６】
なお、下端部２４４の縁２４５は、ディスク８０に接触する可能性があるので、ディスク８０が傷つかないように、エラストマー等の柔軟な材料で形成するのがよい。
【００２７】
次に、上記のように構成されるディスク再生装置１０のエスカッション２００の作用について説明する。
【００２８】
図４は、ディスク排出時のエスカッション２００の状態変化を説明するための図である。図５は、ディスク排出時の、操作者の左手、右手、及びディスク再生装置１０の状態変化を説明するための図である。
【００２９】
ここでは、ディスク８０が既に挿入されているにも関らず、もう１枚のディスク８１が挿入されそうになった場合について説明する。最初は、図４（Ａ）の状態である。
【００３０】
操作者は、左手で、挿入孔カバー２４０のツメ２５０に指を引っ掛けて、挿入孔カバー２４０を開く。かかる左手は、次のディスク８１を挿入して、挿入孔カバー２４０を閉じるまで、挿入孔カバー２４０を支えることになる。
【００３１】
この状態で、操作者は、シャッターノブ２３０を右にスライドさせる。このとき、操作者は、左手を使えないので、右手で操作することになる。シャッターノブ２３０が右にスライドされると、それに伴って、シャッター２２０が開き、ディスク挿入孔２１０が開状態となる（図４（Ｂ）、図４（Ｃ））。
【００３２】
ディスク８０が挿入されていないと思っている操作者は、シャッター２２０を開けた後、右手で次のディスク８１を取りに行く。そして、次のディスク８１をつかんで、ディスク挿入孔２１０へと近づけていく。
【００３３】
一方、ディスク搬送部１１０は、シャッターノブ２３０が右にスライドされたことを検知して、ディスク排出処理を開始する。このとき、ディスク８０がデータ読取部よりデータ読み取り状態にある場合、ディスク搬送部１１０は、データ読み取りを停止させた後、データ読取部に置かれたディスク８０をディスク挿入孔２１０まで搬送し、排出する。こうして、操作者により次のディスク８１がディスク挿入孔２１０に挿入させるまでの間に、既に挿入されていたディスク８０が排出される。（図４（Ｄ））。
【００３４】
ここで操作者は、ディスク８０が既に挿入されていたことに気づき、右手に持っていた次のディスク８１を、どこかに置いて、排出されたディスク８０を取り出す。そして、次のディスク８１に持ち替えて、ディスク挿入孔２１０に挿入する（図４（Ｅ））。
【００３５】
ディスク搬送部１１０は、ディスク８１が挿入されたことを検知すると、搬送機構を駆動させ、ディスク８１をデータ読取部まで搬送する。
【００３６】
操作者は、シャッターノブ２３０を左にスライドさせる。これにともなって、シャッター２２０が閉まり、ディスク挿入孔２１０は閉状態となる（図４（Ｆ）、（Ｇ））。
【００３７】
操作者は、挿入孔カバー２４０から左手を離す。これにともなって、挿入孔カバー２４０が閉状態となる（図４（Ｈ））。
【００３８】
その後、データ読取部は、ディスク８１からデータの読み取りを開始し、再生処理を行う。
【００３９】
以上、本発明の一実施形態について説明した。
【００４０】
上記実施形態によれば、操作者がディスクの挿入をしようとする場合、一方の手を用いカバーを開け、他方の手を用いシャッターを開け、その後、挿入しようとするディスクを取りに行くことになる。これにより、シャッターを開けてから、ディスクを挿入するまでの時間が長くなる。したがって、ディスク再生装置は、その間にディスクの排出を完了できるので、２重挿入を防止することができる。
【００４１】
また、シャッターノブは、スライド式であるので、操作にある程度の力が必要である。したがって、操作者に、挿入孔カバーを押さえる手と異なる手で操作するようにしむけることができる。
【００４２】
なお、本発明は、上記実施形態に制限されない。上記実施形態は、様々な変形が可能である。
【００４３】
例えば、シャッターノブの位置は、挿入孔カバーの中央の位置に限定されない。
【００４４】
また、操作者の手が添えてられていないと挿入孔カバーが閉じてしまうようにすればよいので、挿入孔カバーを開くためのツメを設ける代わりに、押されている限り挿入孔カバーの開状態を保持するボタンを設けてもよい。また、操作者の指の接触を検知するセンサを設置し、挿入孔カバーの開閉をモータ駆動にして、指の接触を検知しているときに限り、挿入孔カバーを開状態にするように駆動してもよい。
【図面の簡単な説明】
【００４５】
【図１】図１は、本発明の一実施形態が適用されたディスク再生装置の外観図である。
【図２】図２は、本発明の一実施形態が適用されたディスク再生装置の横断面図である。
【図３】図３は、ディスク再生装置の横断面図である。
【図４】図４は、ディスク排出時のディスク再生装置の状態変化を示す図である。
【図５】図５は、ディスク排出時の操作者の手およびディスク再生装置の状態変化を示す図である。
【符号の説明】
【００４６】
１０…ディスク再生装置
１００…筐体
２００…エスカッション
２０１…エスカッション基盤
２１０…ディスク挿入孔
２２０…シャッター
２３０…シャッターノブ
２４０…挿入孔カバー
２５０…ツメ
【図１】
2008130211.tif 000003
【図２】
2008130211.tif 000004
【図３】
2008130211.tif 000005
【図４】
2008130211.tif 000006
【図５】
2008130211.tif 000007